(57)【要約】【課題】大がかりな施工を行うことなく、連窓の室外側にシャッター装置を施工する【解決手段】建物の開口部に固定され左右に配置される建具の竪枠を連結する支持鋼材と、支持鋼材の室外側に支持されるシャッター枠を有する。【選択図】  図４
2020090815.tif 000002
【特許請求の範囲】
【請求項１】
建物の開口部に固定され左右に配置される建具の竪枠を連結する支持鋼材と、支持鋼材の室外側に支持されるシャッター枠を有する建具。
【発明の詳細な説明】
【技術分野】
【０００１】
本発明は、サッシ等の室外側にシャッターを配置した建具に関する。
【背景技術】
【０００２】
従来、店舗等の出入口周りの連窓等にシャッター装置が配置されてなる建具が知られている。
【先行技術文献】
【非特許文献】
【０００３】
三和シャッター工業株式会社、「シャッター・シャッター関連商品  三和シャッター商品  透明／横引きシリーズカタログ」、発行２０１７年９月、ｐ．４−７
【発明の概要】
【発明が解決しようとする課題】
【０００４】
上記文献１のようにシャッターを設けるには、躯体を構成する壁面にシャッター枠を取り付ける必要があり、施工が大がかりなものとなっていた。
【０００５】
本発明は、大がかりな施工を行うことなく、店舗等の連窓等の室外側にシャッター装置を施工することを目的とする。
【課題を解決するための手段】
【０００６】
本発明の一実施形態は、建物の開口部に固定され左右に配置される建具の竪枠を連結する支持鋼材と、支持鋼材の室外側に支持されるシャッター枠を有する建具である。
【発明の効果】
【０００７】
一実施形態の建具の構成により、大がかりな施工を行うことなく、連窓の室外側にシャッター装置を施工することができる。
【図面の簡単な説明】
【０００８】
【図１】一実施形態に係る建具の外観図である。
【図２】一実施形態に係る建具の横断面図である。
【図３】一実施形態に係る建具の竪断面図である。
【図４】一実施形態に係る建具の連結部分の横断面図である。
【図５】一実施形態に係る建具の連結部分の拡大横断面図である。
【図６】他の実施形態に係る建具の連結部分の横断面図である。
【発明を実施するための形態】
【０００９】
本発明の一実施形態は、窓もしくは戸等の建具を左右に隣接して配置してなる連窓の室外側に防火シャッター装置を配置してなる防火建具である。
以下、具体的に説明する。
【００１０】
（全体の構成）
本実施形態の防火建具は、図１に示すように、建物の出入口を構成する建具Ａと、該建具Ａの左右両側に配置された建具Ｂと、出入口を構成する建具Ａの室外側に配置された防火性能を備えるシャッター装置Ｃを有しており、建具Ａ（Ｂ）と建具Ｂは連結材６によって左右方向に連結されている。
【００１１】
出入口を構成する建具Ａは、図１ないし３に示すように、上枠１１、下枠１２及び左右の竪枠１３を有し、さらに、左右の竪枠１３，１３間の上方位置に無目１５を有しており、無目１５の上方に配置されたＦＩＸ窓４と、無目１５の下方において左右に離間して配置された２枚のＦＩＸ窓３，３と、２枚のＦＩＸ窓３，３の間を開閉する２枚の開閉窓２，２を有している。
【００１２】
建具Ａの上方に配置されたＦＩＸ窓４は、上枠１１の内周面（下面），両竪枠１３，１３の内周面及び無目１５の上面に形成されたガラス間口にガラス等のパネル材４５が保持されて形成されている。
【００１３】
左右に離間して配置された２枚のＦＩＸ窓３，３は、それぞれ下框３２と、戸先側框３３と、反戸先側框３４を有しており、各框材の内周面及び無目１５の下面に形成されたガラス間口にガラス等のパネル材３５が保持されて形成されており、戸先側框３３が竪枠１３の内周面に当接した状態で固定されている。
【００１４】
２枚の開閉窓２，２は、それぞれ上框２１と、下框２２と、左右の竪框２３，２３を有しており、各框材の内周面に形成されたガラス間口にガラス等のパネル材２５が保持されて形成されている。
そして、２枚の開閉窓２，２は、下框２２の下面から突出するガイドが下枠１２に形成された案内溝に案内され、２枚のＦＩＸ窓３，３の室内側において左右方向に移動自在に設けられている。
【００１５】
建具Ａの左右両側に配置された建具Ｂは、上枠１１、下枠及び左右の竪枠１３を有し、さらに、左右の竪枠１３，１３間の上方位置に無目１５を有しており、無目１５の上方に配置されたＦＩＸ窓４２と、無目１５の下方に配置されたＦＩＸ窓５を有している。
【００１６】
無目１５の上方に配置されたＦＩＸ窓４２は、上枠１１の内周面（下面），両竪枠１３，１３の内周面及び無目１５の上面に形成されたガラス間口にガラス等のパネル材が保持されて形成されている。
建具Ｂの無目１５の下方に配置されたＦＩＸ窓５は、無目１５の下面と竪枠１３の内周面と下枠の内周面に形成されたガラス間口にガラス等のパネル材５５が保持されて形成されている。なお、建具Ｂの無目１５の上方に配置されたＦＩＸ窓４２は、建具Ａの無目１５の上方に配置されたＦＩＸ窓４と構成が略同様である。
【００１７】
建具Ａの室外側に配置されたシャッター装置Ｃは、建具Ａの室外側上方位置の壁面に固定されるシャッターケース（シャッター上枠）７１と、建具Ａと建具Ｂとを連結する連結材６の室外側に配置されるシャッター枠７２，７２と、シャッター枠７２，７２に沿って建具Ａの室外側を開閉するシャッター本体７３を有している。
【００１８】
（連結材による建具の連結構造）
出入口を構成する建具Ａと建具Ｂとの連結構造もしくは建具Ｂ同士の連結構造について、図４，５を参考にして説明する。
【００１９】
建具を連結する連結材６は、中空状の支持鋼材６１と、支持鋼材６１の左右両側に固定されて竪枠１３が取り付けられる断面略Ｕ字状の枠取付材６２，６２と、支持鋼材６１の室内側に配置されて左右の建具Ａ，Ｂの室内側の竪枠１３，１３間をカバーする室内側部材６３を有している。
なお、建具Ｂ同士を連結する連結材６については、図４に示すように、支持鋼材６１の室外側に配置されて左右の竪枠１３，１３の室外側の間をカバーする室外側部材６４を有している。
【００２０】
支持鋼材６１は、スチール等の鋼材からなり、図５に示すように、見込壁６１１ａと、見込壁６１１ａの室内側端に連続する室内側見付壁６１１ｂと、見込壁６１１ａの室外側端に連続する室外側見付壁６１１ｃを有する断面略Ｕ字状の二つの本体部材６１１，６１１を、開口部側を突き合わせて連結してなる断面略矩形の中空部材により形成されている。
そして、支持鋼材６１は、見込壁６１１ａの上下部分が、躯体開口部に固定されたアンカー部材等に固定されることで、建物開口部に対して固定支持されている。
【００２１】
枠取付材６２は、スチール等の鋼材よりなり、見込壁６２ａと、見込壁６２ａの室内側に連続する室内側取付部６２ｂと、見込壁６２ａの室外側に連続する室外側取付部６２ｃを有する断面略Ｕ字状の部材であり、曲げ部材等によって形成されている。
そして、枠取付材６２は、見込壁６２ａを支持鋼材６１の見込壁６１１ａに当接させ、室内側取付部６２ｂ及び室外側取付部６２ｃが反連結材本体側に延びるように配置された状態で、ネジ等の連結手段により支持鋼材６１に固定されている。
【００２２】
室内側部材６３は、支持鋼材６１の室内側に配置される連結部材６３１と、連結部材６３１の室内側に配置されて支持鋼材６１に固定される耐火ボート等の耐火部材６３２と、連結部材６３１に係止されて耐火部材６３２の室内側を覆う室内側カバー部材６３３を有している。
そして、室内側部材６３は、連結部材６３１及び耐火部材６３２がネジ等の固定手段によって支持鋼材６１及び左右の枠取付材６２，６２に固定されることで、支持鋼材６１及び左右の枠取付材６２，６２の室内側を覆うように配置されている。
【００２３】
一方、連結材６によって連結される建具Ａと建具Ｂの竪枠１３は、同一の竪枠１３により構成されている。
竪枠１３は、内周面を構成する見込壁１３ａと、見込壁１３ａの室内側端部から外周方向に延びる室内側取付片１３ｂと、見込壁１３ａの室外側端部から外周方向に延びる室外側取付片１３ｃを有し、見込壁１３ａのやや室外寄りの内周面にガラス間口１３ｄが設けられている。
【００２４】
そして、竪枠１３は、室内側取付片１３ｂが枠取付材６２の室内側取付部６２ｂに対して室外側から見込み方向に重複するように当接してビス等の固定手段により固定されると共に、室外側取付片１３ｃが枠取付材６２の室外側取付部６２ｃに対して室内側から見込み方向に重複するように配置されてビス等の固定手段によって固定されている。
【００２５】
出入口を構成する建具Ａの竪枠１３のガラス間口１３ｄには、キャップ材１３ｅが配置されており、竪枠１３の室外側部分にＦＩＸ窓３の竪框２３が当接するように配置されている。
また、建具Ｂを構成する竪枠１３のガラス間口１３ｄには、ガラス等のパネル材５５の端部が挿入されており、ＦＩＸ窓５が形成されている。
【００２６】
（シャッター枠の取付構造）
次に、建具Ａの屋外側に配置されるシャッター装置Ｃの取付構造について、説明する。
シャッター装置Ｃを構成するシャッターケース（上枠）７１は、図３に示すように、シャッター本体７３を丸めて収容するシャッター収容部７１ａと、シャッター収容部７１ａの屋内側下面に形成されたシャッター引出し口７１ｂを有しており、シャッター本体７３がシャッター引出し口７１ｂから下方に引き出し可能に収納されている。
【００２７】
シャッターケース７１は、シャッター引出し口７１ｂが建物開口部に沿って配置されるように建物の屋外側天井の上面位置に配置され、建物開口部の上方に配置された鉄骨８等に固定支持されている。
【００２８】
シャッターケース７１のシャッター引出し口７１ｂの見付方向両端の下方位置には、シャッター枠７２，７２が設けられている。
シャッター枠７２，７２は、例えばスチール等の鋼製の曲げ部材からなり、図４，５に示すように、見込壁と内外見付壁とからなる断面略Ｕ字状のシャッター溝を有する長尺部材によって形成され、出入り口を構成する建具Ａと建具Ｂを連結する連結材６，６の支持鋼材６１に沿って配置され固定されている。
【００２９】
シャッター枠７２が固定される連結材６の支持鋼材６１、すなわち建具Ａと建具Ｂを連結する連結材６の支持鋼材６１は、建具Ｂ同士を連結する連結材６の支持鋼材６１よりも見込み寸法が大きく形成されており、鋼製の支持鋼材６１が左右の竪枠１３，１３よりも屋外側に突出している。
そして、シャッター枠７２，７２は、屋外側に突出する鋼製の支持鋼材６１の屋外側見付壁に対して、ビス等の固定手段によって固定することで、建物開口部に対して鋼製部材を介して取り付けられている。
【００３０】
建具Ａの室外側に取り付けられたシャッター装置Ｃは、シャッターケース７１から引き出されたシャッター本体７３がシャッター枠７２，７２に沿って下降することで、建具Ａの室外側面を閉鎖することができる。
本実施形態においては、シャッター枠７２の室内側にふかし材７２ｂが取り付けられており、シャッター枠７２はふかし材７２ｂを介して支持鋼材６１にとりつけられている。
なお、ふかし材７２ｂと竪枠１３との間には、シール材が配置され、気密、水密が図られている。
【００３１】
−他の実施形態−
図６に、建具Ａ及び建具Ｂの見込み寸法を小さくした実施形態の防火建具の図を示す。
本実施形態においては、建具Ａ及び建具Ｂの竪枠１３，１３及び連結材の６の見込寸法が小さく形成されており、建具Ａには開閉自在な開閉窓２が配置されており、建具ＢにはＦＩＸ窓５が配置されている。
なお、連結材６による建具Ａ，Ｂの連結構造及びシャッター枠７２の取付構造については、第１の実施形態と同様であるので、説明は省略する。
【００３２】
以上のように、本実施形態の建具においては、シャッター装置Ｃのシャッター枠７２を直接もしくは鋼製のふかし材を介して鋼製の連結材６（特に支持鋼材６１）に取り付けることで建物開口部にシャッター装置を配置するので、壁工事を行うことなくシャッター装置Ｃを設置することができ、施工を容易にすることができる。
【００３３】
また、シャッター（竪）枠は、建具同士を連結する連結材によって固定するので、壁面にシャッター枠を設置するよりもシャッター枠を取り付ける部分の見付寸法を小さくすることができ、ガラス開口面積を大きくすることができる。また、ショウウインドウ等の出入り口部分だけにシャッターを設けるなど、連窓の任意の位置にシャッター装置を設けることができ、防犯性、防火性を向上させることができる。
そして、シャッター装置を取り付けるだけで容易に防火ラインを形成することができる。
【００３４】
さらに、防火機能を有するシャッター装置Ｃのシャッター枠７２は、鋼製の部材（ふかし材、支持鋼材６１）を介して躯体に取り付けられるので、火災時に簡単に崩壊することなく、耐火性能に優れた建具を提供することができる。
【００３５】
なお、上記の実施形態においては、出入口を構成する建具Ａの左右に隣接してＦＩＸ窓が配置されるものであるが、出入口を構成する建具Ａの左右に隣接して配置される建具は、ＦＩＸ窓に限定されるものではない。また、室外側にシャッター装置Ｃが配置される建具は、出入口を構成する建具Ａに限定されるものではない。すなわち、連結材間に配置されたＦＩＸ窓の室外側にシャッター装置Ｃが配置されてもよい。
【００３６】
また、シャッター枠７２は屋内側面に鋼製のふかし材７２ｂが取り付けられており、ふかし材７２ｂを介して連結材６に固定されているが、ふかし材７２ｂを介することなく、シャッター枠７２を直接支持鋼材６１に固定してもよい。
【００３７】
また、建具を連結する連結材６の支持鋼材６１は、断面略Ｕ字状の２つの鋼材を合わせて形成されるものでなくてもよく、例えば断面略Ｕ字状の鋼材と断面略Ｉ字状の鋼材を合わせて形成してもよいし、中空の鋼材を用いてもよく、その構成は限定されない。
また、本実施形態においては、上枠と竪枠について同様の枠体を用いているが、さらに、建具を構成する下枠についても、上枠及び竪枠と同様の枠体を用いてもよい。
【００３８】
なお、以上の実施形態は，請求項に記載された発明を限定するものではなく，例示として取り扱われることは言うまでもない。
【符号の説明】
【００３９】
１１      ：上枠
１２      ：下枠
１３      ：竪枠
６        ：連結材
６１      ：支持鋼材
７１      ：シャッターケース
７１ａ    ：シャッター収容部
７１ｂ    ：シャッター引出し口
７２      ：シャッター枠
７２ｂ    ：ふかし材
７３      ：シャッター本体
Ａ        ：建具
Ｂ        ：建具
Ｃ        ：シャッター装置
【図１】
2020090815.tif 000003
【図２】
2020090815.tif 000004
【図３】
2020090815.tif 000005
【図４】
2020090815.tif 000006
【図５】
2020090815.tif 000007
【図６】
2020090815.tif 000008